(57)【要約】      （修正有）【課題】眼鏡フレームを容易に良好に保持することができる眼鏡枠形状測定装置を提供する。【解決手段】眼鏡フレームＦの形状を測定する眼鏡枠形状測定装置１であって、眼鏡フレームの左リムＦＬを挟持する一対のクランプピンを有する第１クランプピンユニット６０と、第１回転軸を中心として第１クランプピンユニットを挟持方向に回転させる第１回転手段と、眼鏡フレームの右リムＦＲを挟持する一対のクランプピンを有する第２クランプピンユニットと、第２回転軸を中心として第２クランプピンユニットを挟持方向に回転させる第２回転手段と、を備え、第１回転手段によって第１クランプピンユニットを回転することで、眼鏡フレームの左リムを測定位置へ移動させ、第２回転手段によって第２クランプピンユニットを回転することで、眼鏡フレームの右リムを測定位置へ移動させる。【選択図】図１
2018072186.tif 000002
【特許請求の範囲】
【請求項１】
眼鏡フレームの形状を測定する眼鏡枠形状測定装置であって、
前記眼鏡フレームの左リムを挟持する一対のクランプピンを有する第１クランプピンユニットと、
第１回転軸を中心として前記第１クランプピンユニットを挟持方向に回転させる第１回転手段と、
前記眼鏡フレームの右リムを挟持する一対のクランプピンを有する第２クランプピンユニットと、
第２回転軸を中心として前記第２クランプピンユニットを挟持方向に回転させる第２回転手段と、
を備え、
前記第１回転手段によって前記第１クランプピンユニットを回転することで、前記眼鏡フレームの前記左リムを測定位置へ移動させ、前記第２回転手段によって第２クランプピンユニットを回転することで、前記眼鏡フレームの前記右リムを測定位置へ移動させることを特徴とする眼鏡枠形状測定装置。
【請求項２】
請求項１の眼鏡枠形状測定装置において、
前記第１クランプピンユニットにおける一対のクランプピンが開閉できる第１開閉手段と、
前記第２クランプピンユニットにおける一対のクランプピンが開閉できる第２開閉手段と、
を備え、
前記第１回転手段によって前記第１クランプピンユニットを回転するとともに前記第１開閉手段によって前記第１クランプピンユニットの開閉を行うことで、前記眼鏡フレームの前記左リムを測定位置へ移動させ、前記第２回転手段によって前記第２クランプピンユニットを回転するとともに前記第２開閉手段によって前記第２クランプピンユニットの開閉を行うことで、前記眼鏡フレームの前記右リムを測定位置へ移動させることを特徴とする眼鏡枠形状測定装置。
【請求項３】
請求項２の眼鏡枠形状測定装置において、
前記第１開閉手段は、前記第１クランプピンユニットにおける一対のクランプピンの一方のクランプピンが他方の方向に直線移動するとともに、一対のクランプピンの他方のクランプピンが一方の方向に直線移動し、
前記第２開閉手段は、前記第２クランプピンユニットにおける一対のクランプピンの一方のクランプピンが他方の方向に直線移動するとともに、一対のクランプピンの他方のクランプピンが一方の方向に直線移動することを特徴とする眼鏡枠形状測定装置。
【請求項４】
請求項１〜３のいずれかの眼鏡枠形状測定装置において、
前記眼鏡フレームを測定する測定手段を備え、
前記眼鏡フレームを設置する際の待機状態において、前記第１クランプピンユニットが前記第１回転手段によって、挟持方向において前記測定手段から遠ざかる方向に回転された状態で保持され、
前記眼鏡フレームの測定を行う測定状態において、前記第１クランプピンユニットが前記第１回転手段によって、挟持方向において前記測定手段に近づく方向に回転され、前記眼鏡フレームの前記左リムを測定位置へ移動させるとともに、
前記眼鏡フレームを設置する際の待機状態において、前記第２クランプピンユニットが前記第２回転手段によって、挟持方向において前記測定手段から遠ざかる方向に回転された状態で保持され、
前記眼鏡フレームの測定を行う測定状態において、前記第２クランプピンユニットが前記第２回転手段によって、挟持方向において前記測定手段に近づく方向に回転され、前記眼鏡フレームの前記右リムを測定位置へ移動させることを特徴とする眼鏡枠形状測定装置。
【請求項５】
請求項１〜３のいずれかの眼鏡枠形状測定装置において、
前記第１クランプピンユニットにおける一対のクランプピンの内、一方のクランプピンを収納する第１収納部と、
前記第２クランプピンユニットにおける一対のクランプピンの内、一方のクランプピンを収納する第２収納部と、
を備え、
前記第１回転手段による前記第１クランプピンユニットの回転によって、前記第１クランプピンユニットにおける一対のクランプピンの内の一方のクランプピンが前記第１収納部に対して挿脱され、
前記第２回転手段による前記第２クランプピンユニットの回転によって、前記第２クランプピンユニットにおける一対のクランプピンの内の一方のクランプピンが前記第２収納部に対して挿脱されることを特徴とする眼鏡枠形状測定装置。
【請求項６】
請求項５の眼鏡枠形状測定装置において、
前記眼鏡フレームを設置する際の待機状態において、前記第１クランプピンユニットにおける一対のクランプピンの内の一方のクランプピンが前記第１収納部に収納されるとともに、前記第２クランプピンユニットにおける一対のクランプピンの内の一方のクランプピンが前記第２収納部に収納され、
前記眼鏡フレームの測定を行う測定状態において、前記第１回転手段によって前記第１クランプピンユニットを回転することで、前記第１クランプピンユニットにおける一対のクランプピンの内の一方のクランプピンが前記第１収納部から突出し、前記眼鏡フレームの前記左リムを測定位置へ移動させるとともに、前記第２回転手段によって前記第２クランプピンユニットを回転することで、前記第２クランプピンユニットにおける一対のクランプピンの内の一方のクランプピンが前記第２収納部から突出し、前記眼鏡フレームの前記左リムを測定位置へ移動させることを特徴とする眼鏡枠形状測定装置。
【請求項７】
請求項５又は６の眼鏡枠形状測定装置において、
前記眼鏡フレームを測定する測定手段を備え、
前記第１クランプピンユニットにおける一対のクランプピンは挟持方向において異なる位置に配置され、一対のクランプピンの内、挟持方向において前記測定手段側に配置されたクランプピンよりも手前側に配置されたクランプピンが前記第１収納部に収納され、
前記第２クランプピンユニットにおける一対のクランプピンは挟持方向において異なる位置に配置され、一対のクランプピンの内、挟持方向において前記測定手段側に配置されたクランプピンよりも手前側に配置されたクランプピンが前記第２収納部に収納されることを特徴とする眼鏡枠形状測定装置。
【請求項８】
請求項１〜７のいずれかの眼鏡枠形状測定装置において、
前記第１クランプピンユニットは、前記左リムの上部を挟持する一対の第１上クランプピンと、前記左リムの下部を挟持する一対の第１下クランプピンと、を有し、
前記第１回転手段は、前記第１上クランプピンと、前記第１下クランプピンと、の少なくとも一方を回転させ、
前記第２クランプピンユニットは、前記右リムの上部を挟持する一対の第２上クランプピンと、前記右リムの下部を挟持する一対の第２下クランプピンと、を有し、
前記第２回転手段は、前記第２上クランプピンと、前記第２下クランプピンと、の少なくとも一方を回転させることを特徴とする眼鏡枠形状測定装置。
【請求項９】
眼鏡フレームの形状を測定する眼鏡枠形状測定装置であって、
前記眼鏡フレームの左リムを挟持する一対のクランプピンを有する第１クランプピンユニットであって、前記左リムの上部を挟持する一対の第１上クランプピンと、前記左リムの下部を挟持する一対の第１下クランプピンと、を有する第１クランプピンユニットと、
第１回転軸を中心として前記第１上クランプピンを一体的に挟持方向に回転させる第１回転手段と、
前記第１上クランプピン及び前記第１下クランプピンが開閉できる第１開閉手段と、
前記眼鏡フレームの右リムを挟持する一対のクランプピンを有する第２クランプピンユニットであって、前記右リムの上部を挟持する一対の第２上クランプピンと、前記右リムの下部を挟持する一対の第２下クランプピンと、を有する第２クランプピンユニットと、
第２回転軸を中心として前記第２上クランプピンを一体的に挟持方向に回転させる第２回転手段と、
前記第２上クランプピン及び前記第２下クランプピンが開閉できる第２開閉手段と、
前記第１上クランプピンにおける一対のクランプピンの内、一方のクランプピンを収納する第１収納部と、
前記第２上クランプピンにおける一対のクランプピンの内、一方のクランプピンを収納する第２収納部と、
を備える眼鏡枠形状測定装置。
【発明の詳細な説明】
【技術分野】
【０００１】
本開示は、眼鏡フレームの形状を測定する眼鏡枠形状測定装置に関する。
【背景技術】
【０００２】
眼鏡フレームのリムの輪郭をトレースしてリムの形状を測定する眼鏡枠形状測定装置が知られている（例えば、特許文献１及び２参照）。これらの眼鏡枠形状測定装置は、眼鏡フレームの左右リムを挟持するクランプ機構を有した眼鏡フレーム保持ユニットを備えている。眼鏡フレーム保持ユニットのクランプ機構は、一対のクランプピンを有しており、一対のクランプピンによって、眼鏡フレームを挟持することで、眼鏡フレームを測定位置にて保持する。眼鏡フレームが測定位置にて保持された状態にて、リムの輪郭がトレースされている。
【先行技術文献】
【特許文献】
【０００３】
【特許文献１】特開２０１５−００７５３６号公報
【特許文献２】特開２０１５−００７６６４号公報
【発明の概要】
【発明が解決しようとする課題】
【０００４】
しかしながら、従来の眼鏡フレーム保持ユニットは、クランプ機構において、眼鏡枠形状測定装置の手前側（操作者側）に位置するクランプピンと、眼鏡枠形状測定装置の奥側（眼鏡フレームを測定する測定手段側）に位置するクランプピンとが重なって見づらくなっていた。このため、操作者は、眼鏡フレームの左右リムを一対のクランプピンの間に設置することが困難であった。特に、操作に不慣れな者にとっては、何度もやり直す必要が生じるために面倒な操作であった。
【０００５】
本開示は、上記従来技術に鑑み、眼鏡フレームを容易に良好に保持することができる眼鏡枠形状測定装置を提供することを技術課題とする。
【課題を解決するための手段】
【０００６】
上記課題を解決するため、本開示は以下の構成を備えることを特徴とする。
【０００７】
（１）  本開示の第１態様に係る眼鏡枠形状測定装置は、  眼鏡フレームの形状を測定する眼鏡枠形状測定装置であって、前記眼鏡フレームの左リムを挟持する一対のクランプピンを有する第１クランプピンユニットと、第１回転軸を中心として前記第１クランプピンユニットを挟持方向に回転させる第１回転手段と、前記眼鏡フレームの右リムを挟持する一対のクランプピンを有する第２クランプピンユニットと、第２回転軸を中心として前記第２クランプピンユニットを挟持方向に回転させる第２回転手段と、を備え、前記第１回転手段によって前記第１クランプピンユニットを回転することで、前記眼鏡フレームの前記左リムを測定位置へ移動させ、前記第２回転手段によって第２クランプピンユニットを回転することで、前記眼鏡フレームの前記右リムを測定位置へ移動させることを特徴とする。
（２）  本開示の第１態様に係る眼鏡枠形状測定装置は、眼鏡フレームの形状を測定する眼鏡枠形状測定装置であって、前記眼鏡フレームの左リムを挟持する一対のクランプピンを有する第１クランプピンユニットであって、前記左リムの上部を挟持する一対の第１上クランプピンと、前記左リムの下部を挟持する一対の第１下クランプピンと、を有する第１クランプピンユニットと、第１回転軸を中心として前記第１上クランプピンを一体的に挟持方向に回転させる第１回転手段と、前記第１上クランプピン及び前記第１下クランプピンが開閉できる第１開閉手段と、前記眼鏡フレームの右リムを挟持する一対のクランプピンを有する第２クランプピンユニットであって、前記右リムの上部を挟持する一対の第２上クランプピンと、前記右リムの下部を挟持する一対の第２下クランプピンと、を有する第２クランプピンユニットと、第２回転軸を中心として前記第２上クランプピンを一体的に挟持方向に回転させる第２回転手段と、前記第２上クランプピン及び前記第２下クランプピンが開閉できる第２開閉手段と、前記第１上クランプピンにおける一対のクランプピンの内、一方のクランプピンを収納する第１収納部と、前記第２上クランプピンにおける一対のクランプピンの内、一方のクランプピンを収納する第２収納部と、を備えることを特徴とする。
【図面の簡単な説明】
【０００８】
【図１】眼鏡枠形状測定装置の概略構成図である。
【図２】フレーム保持ユニットの正面図である。
【図３】フレーム保持ユニットの右側面図である。
【図４】フレーム保持ユニットの背面図である。
【図５】クランプ機構を説明するための図である。
【図６】第１スライダーのスライド板を右側面から見た図である。
【図７】第２スライダーのスライド板を上側から見た図である。
【発明を実施するための形態】
【０００９】
＜概要＞
以下、本開示の実施形態を図面に基づいて説明する。なお、本開示において符号に付されるＬ及びＲは、それぞれ左用及び右用を示すものである。また、本開示では、眼鏡枠形状測定装置１に向かって、前後方向（奥行き方向）をＺ方向とし、左右方向（奥行き方向に垂直な平面上の水平方向）をＸ方向とし、上下方向（奥行き方向に垂直な平面上の鉛直方向）をＹ方向として説明する。また、本開示における水平とは、完全に水平な状態及び略水平な状態を含む。また、本開示における垂直とは、完全に垂直な状態及び略垂直な状態を含む。
【００１０】
例えば、本実施形態における眼鏡枠形状測定装置（例えば、眼鏡枠形状測定装置１）は、眼鏡フレームの形状を測定する。例えば、眼鏡枠形状測定装置は、眼鏡フレームの左リムを挟持する一対のクランプピンを有する第１クランプピンユニット（例えば、第１クランプピンユニット６０）を備えてもよい。また、例えば、眼鏡フレームの右リムを挟持する一対のクランプピンを有する第２クランプピンユニット（例えば、第２クランプピンユニット７０）を備えてもよい。
【００１１】
例えば、眼鏡枠形状測定装置は、第１回転軸（例えば、第１回転軸Ｓ１）を中心として第１クランプピンユニットを挟持方向に回転させる第１回転手段（例えば、第１回転ユニット６５）を備えていてもよい。この場合、例えば、第１回転手段によって第１クランプピンユニットを回転することで、眼鏡フレームの左リムを測定位置へ移動させることができる。
【００１２】
また、例えば、眼鏡枠形状測定装置は、第２回転軸（例えば、第２回転軸Ｓ２）を中心として第２クランプピンユニットを挟持方向に回転させる第２回転手段（例えば、第２回転ユニット７５）を備えていてもよい。この場合、例えば、第２回転手段によって第２クランプピンユニットを回転することで、眼鏡フレームの右リムを測定位置へ移動させることができる。
【００１３】
なお、例えば、移動される測定位置とは、眼鏡フレームの測定を行う際の測定位置でなくてもよい。おおよそ、眼鏡フレームの測定を行う際の測定位置であればよい。
【００１４】
例えば、一対のクランプピンは、眼鏡フレームを挟持できる構成であればよい。例えば、一対のクランプピンは、少なくとも２つ以上のピンで構成されていてもよい。
【００１５】
例えば、本実施形態の眼鏡枠形状測定装置は、回転軸を中心として、一対のクランプピンを挟持方向に回転させる回転手段と、を備え、回転手段によってクランプピンを回転することで、眼鏡フレームのリムを測定位置へ移動させる構成を備える。これによって、操作者は、眼鏡枠形状測定装置に眼鏡フレームを簡易的に配置するだけで、眼鏡フレームを容易に良好に保持することができる。
【００１６】
例えば、第１クランプピンユニットは、左リムの上部を挟持する一対の第１上クランプピン（例えば、第１上クランプピン６１）と、左リムの下部を挟持する一対の第１下クランプピン（例えば、第１下クランプピン６２）と、を有してもよい。この場合、例えば、第１回転手段は、第１上クランプピンと、第１下クランプピンと、の少なくとも一方を回転させてもよい。また、例えば、第１上クランプピンと第１下クランプピンとの少なくとも一方は一対のクランプピンを有するようにしてもよい。
【００１７】
また、例えば、第２クランプピンユニットは、右リムの上部を挟持する一対の第２上クランプピン（例えば、第２上クランプピン７１）と、右リムの下部を挟持する一対の第２下クランプピン（例えば、第２下クランプピン７２）と、を有してもよい。この場合、例えば、第２回転手段は、第２上クランプピンと、第２下クランプピンと、の少なくとも一方を回転させるようにしてもよい。また、例えば、第２上クランプピンと第２下クランプピンとの少なくとも一方は一対のクランプピンを有するようにしてもよい。
【００１８】
例えば、本実施形態の眼鏡枠形状測定装置は、クランプピンが、リムの上部を挟持する一対の上クランプピンと、リムの下部を挟持する一対の下クランプピンと、を有し、回転手段が、第１上クランプピンと、第１下クランプピンと、の少なくとも一方を回転させる構成を備える。これによって、左右のリムの上部と下部の少なくとも４つの箇所で眼鏡フレームを保持することができるため、眼鏡フレームを安定して保持することができる。
【００１９】
例えば、眼鏡枠形状測定装置は、第１クランプピンユニットにおける一対のクランプピンが開閉できる第１開閉手段（例えば、第１開閉ユニット６７）を備えていてもよい。この場合、例えば、第１回転手段によって第１クランプピンユニットを回転するとともに第１開閉手段によって第１クランプピンユニットの開閉を行うことで、眼鏡フレームの左リムを測定位置へ移動させることができる。
【００２０】
また、例えば、眼鏡枠形状測定装置は、第２クランプピンユニット（例えば、第２開閉ユニット７７）における一対のクランプピンが開閉できる第２開閉手段を備えていてもよい。この場合、例えば、第２回転手段によって第２クランプピンユニットを回転するとともに第２開閉手段によって第２クランプピンユニットの開閉を行うことで、眼鏡フレームの右リムを測定位置へ移動させることができる。
【００２１】
例えば、眼鏡フレームを挟持する際、第１回転手段及び第２回転手段によって、第１クランプピンユニットと第２クランプピンユニットの回転が完了した後に、第１開閉手段と第２開閉手段の駆動が行われ、眼鏡フレームが挟持されるようにしてもよい。また、例えば、眼鏡フレームを挟持する際、第１回転手段及び第２回転手段によって、第１クランプピンユニットと第２クランプピンユニットの回転中に、第１開閉手段と第２開閉手段の駆動が行われ、眼鏡フレームが挟持されるようにしてもよい。
【００２２】
なお、例えば、眼鏡枠形状測定装置は、開閉手段を設けることなく、一対のクランプピンによって眼鏡フレームを挟持できる構成としてもよい。この場合、例えば、一対のクランプピンによって挟持される構成であればよい。一例として、一対のクランプピンをＶ字状に配置し、一対のクランプピンの間に眼鏡フレームが差し込まれる構成としてもよい。
【００２３】
例えば、本実施形態の眼鏡枠形状測定装置において、さらに、一対のクランプピンが開閉できる開閉手段を備え、回転手段によってクランプピンを回転するとともに開閉手段によってクランプピンの開閉を行うことで、眼鏡フレームのリムを測定位置へ移動させる構成を備える。これによって、眼鏡フレームをより確実に挟持することができ、測定中に眼鏡フレームが移動することを抑制することができる。
【００２４】
例えば、第１開閉手段は、一対のクランプピンの少なくとも一方が他方のピン方向に移動する構成であってもよい。例えば、第１開閉手段は、一対のクランプピンの少なくとも一方が他方のピン方向に直線移動する構成であってもよい。この場合、第１開閉手段は、第１クランプピンユニットにおける一対のクランプピンの一方のクランプピンが他方の方向に直線移動するとともに、一対のクランプピンの他方のクランプピンが一方の方向に直線移動してもよい。例えば、第１開閉手段は、一対のクランプピンの少なくとも一方が他方のピン方向に回転移動する構成であってもよい。
【００２５】
例えば、第２開閉手段は、一対のクランプピンの少なくとも一方が他方のピン方向に移動する構成であってもよい。例えば、第２開閉手段は、一対のクランプピンの少なくとも一方が他方のピン方向に直線移動する構成であってもよい。この場合、第２開閉手段は、第２クランプピンユニットにおける一対のクランプピンの一方のクランプピンが他方の方向に直線移動するとともに、一対のクランプピンの他方のクランプピンが一方の方向に直線移動してもよい。例えば、第２開閉手段は、一対のクランプピンの少なくとも一方が他方のピン方向に回転移動する構成であってもよい。
【００２６】
例えば、本実施形態における眼鏡枠形状測定装置は、眼鏡フレームを測定する測定手段（例えば、測定ユニット１０）を備える。この場合に、例えば、眼鏡フレームを設置する際の待機状態において、第１クランプピンユニットが第１回転手段によって、挟持方向において測定手段から遠ざかる方向に回転された状態で保持され、記眼鏡フレームの測定を行う測定状態において、第１クランプピンユニットが第１回転手段によって、挟持方向において測定手段に近づく方向に回転され、眼鏡フレームの左リムを測定位置へ移動させるようにしてもよい。また、この場合に、例えば、眼鏡フレームを設置する際の待機状態において、第２クランプピンユニットが第２回転手段によって、挟持方向において前記測定手段から遠ざかる方向に回転された状態で保持され、眼鏡フレームの測定を行う測定状態において、第２クランプピンユニットが第２回転手段によって、挟持方向において測定手段に近づく方向に回転され、眼鏡フレームの右リムを測定位置へ移動させるようにしてもよい。
【００２７】
例えば、測定手段は、測定子を有し、眼鏡フレームのリムに嵌め込み移動させることで眼鏡フレーム形状を測定する構成であってもよい。また、例えば、測定手段は、光源を有し、光源から照射した測定光を眼鏡フレームに照射し、その反射光を検出器によって、受光することによって、眼鏡フレーム形状を測定する構成であってもよい。
【００２８】
例えば、本実施形態の眼鏡枠形状測定装置は、眼鏡フレームを設置する際の待機状態において、クランプピンユニットが回転手段によって、挟持方向において測定手段から遠ざかる方向に回転された状態で保持され、眼鏡フレームの測定を行う測定状態において、クランプピンユニットが回転手段によって、挟持方向において測定手段に近づく方向に回転され、眼鏡フレームのリムを測定位置へ移動させる構成を備える。これによって、クランプピンの一方が収納されるため、クランプピンの一方が他方のクランプピンに隠れることによって操作者から見えづらくなることを抑制することができる。操作者は、クランプピンの位置を確認しながら、確実に眼鏡フレームを所望の位置に配置しやすくなる。
【００２９】
例えば、眼鏡枠形状測定装置は、第１クランプピンユニットにおける一対のクランプピンの内、一方のクランプピンを収納する第１収納部（例えば、第１収納部１１０）を備えてもよい。この場合、例えば、第１回転手段による第１クランプピンユニットの回転によって、第１クランプピンユニットにおける一対のクランプピンの内の一方のクランプピンが第１収納部に対して挿脱されてもよい。また、例えば、眼鏡枠形状測定装置は、第２クランプピンユニットにおける一対のクランプピンの内、一方のクランプピンを収納する第２収納部（例えば、第２収納部１２０）を備えてもよい。この場合、第２回転手段による第２クランプピンユニットの回転によって、第２クランプピンユニットにおける一対のクランプピンの内の一方のクランプピンが第２収納部に対して挿脱されてもよい。
【００３０】
例えば、本実施形態の眼鏡枠形状測定装置は、一対のクランプピンの内の一方のクランプピンを収納する収納部を備え、回転手段によるクランプピンの回転によって、一対のクランプピンの内の一方のクランプピンが収納部に対して挿脱される構成を備える。これによって、クランプピンの一方が収納されるため、クランプピンの一方が他方のクランプピンに隠れることによって操作者から見えづらくなることを抑制することができる。操作者は、クランプピンの位置を確認しながら、確実に眼鏡フレームを所望の位置に配置しやすくなる。
【００３１】
例えば、第１収納部と、第２収納部が設けられる場合、眼鏡フレームを設置する際の待機状態において、第１クランプピンユニットにおける一対のクランプピンの内の一方のクランプピンが１収納部に収納されるとともに、第２クランプピンユニットにおける一対のクランプピンの内の一方のクランプピンが第２収納部に収納されてもよい。また、例えば、第１収納部と、第２収納部が設けられる場合、眼鏡フレームの測定を行う測定状態において、第１回転手段によって第１クランプピンユニットを回転することで、第１クランプピンユニットにおける一対のクランプピンの内の一方のクランプピンが第１収納部から突出し、眼鏡フレームの左リムを測定位置へ移動させるようにしてもよい。また、また、例えば、第１収納部と、第２収納部が設けられる場合、眼鏡フレームの測定を行う測定状態において、第２回転手段によって第２クランプピンユニットを回転することで、第２クランプピンユニットにおける一対のクランプピンの内の一方のクランプピンが第２収納部から突出し、眼鏡フレームの左リムを測定位置へ移動させるようにしてもよい。
【００３２】
例えば、本実施形態の眼鏡枠形状測定装置は、眼鏡フレームの測定を行う前の待機状態において、クランプピンユニットにおける一対のクランプピンの内の一方のクランプピンが収納部に収納され、眼鏡フレームの測定を行う測定状態において、回転手段によってクランプピンユニットを回転することで、クランプピンユニットにおける一対のクランプピンの内の一方のクランプピンが収納部から突出し、眼鏡フレームのリムを測定位置へ移動させる構成を備える。これによって、操作者が眼鏡フレームを眼鏡枠形状測定装置に設置する際の待機状態において、クランプピンの一方が収納されるため、クランプピンの一方が他方のクランプピンに隠れることによって操作者から見えづらくなることを抑制することができる。操作者は、クランプピンの位置を確認しながら、より確実に眼鏡フレームを所望の位置に配置しやすくなる。
【００３３】
例えば、第１収納部と、第２収納部が設けられる場合、第１クランプピンユニットにおける一対のクランプピンは挟持方向のおいて異なる位置に配置され、一対のクランプピンの内、挟持方向において測定手段側に配置されたクランプピンよりも手前側に配置されたクランプピンが第１収納部に収納されるようにしてもよい。また、例えば、第１収納部と、第２収納部が設けられる場合、第２クランプピンユニットにおける一対のクランプピンは挟持方向のおいて異なる位置に配置され、一対のクランプピンの内、挟持方向において測定手段側に配置されたクランプピンよりも手前側に配置されたクランプピンが第２収納部に収納されるようにしてもよい。
【００３４】
例えば、本実施形態の眼鏡枠形状測定装置は、クランプピンユニットにおける一対のクランプピンは挟持方向のおいて異なる位置に配置され、一対のクランプピンの内、挟持方向において測定手段側に配置されたクランプピンよりも手前側に配置されたクランプピンが収納部に収納される構成を備える。これによって、操作者が眼鏡フレームを眼鏡枠形状測定装置に設置する際に、操作者側（手前側）のクランプピンが収納されるため、眼鏡枠形状測定装置の奥側（測定手段側）のクランプピンが操作者側のクランプピンに隠れることによって、奥側のクランプピンが操作者から見えづらくなることを抑制することができる。操作者は、奥側のクランプピンの位置を確認しながら、眼鏡フレームを奥側のクランプピンの位置に配置しやすくなる。その後、回転手段による回転によって、手前側のクランプピンが突出され、眼鏡フレームを手前側のクランプピンと奥側のクランプピンとで挟み込むことができる。すなわち、操作者は、奥側のクランプピンに眼鏡フレームを配置するだけで、一対のクランプピンによって、眼鏡フレームを挟持することが可能となり、眼鏡フレームを容易に良好に保持することができる。
【００３５】
＜実施例＞
以下、本実施例における眼鏡枠形状測定装置について説明する。図１は眼鏡枠形状測定装置の概略構成図である。例えば、眼鏡枠形状測定装置１は、本体ベース５、測定ユニット（測定手段）１０、フレーム保持ユニット２０等を備える。例えば、本体ベース５には測定ユニット１０の主要な機構が配置され、本体ベース５の前面（後述する回転ユニット１２から測定子１１がのびる方向側）にはフレーム保持ユニット２０が配置される。
【００３６】
例えば、測定ユニット１０は、眼鏡フレームＦにおけるリムの輪郭をトレースして、リムの形状を測定する。例えば、測定ユニット１０は、フレーム保持ユニット１０の後側（フレーム保持ユニット１０の奥側）に位置する。例えば、測定ユニット１０は、測定子１１、回転ユニット１２等を備える。なお、測定ユニット１０の詳細な構成、及び測定ユニット１０を用いた眼鏡フレームＦにおけるリムの形状測定については、公知の技術（特開２０１５−００７６６４号公報）を参照することができる。
【００３７】
＜フレーム保持ユニット＞
以下、フレーム保持ユニット２０の構成について、図１〜図４を用いて説明する。図２は、カバーを取り除いた状態におけるフレーム保持ユニット２０の正面図である。図３は、カバーを取り除いた状態におけるフレーム保持ユニット２０の右側面図である。図４は、カバーを取り除いた状態におけるフレーム保持ユニット２０の背面図である。なお、図１〜図４においては、説明の便宜上、フレーム保持ユニット１０を覆うカバーが取り外された図を示している。
【００３８】
例えば、フレーム保持ユニット２０は、眼鏡フレームＦを保持する。なお、本実施形態におけるフレーム保持ユニット２０は、眼鏡フレームＦを上下反転された状態（眼鏡フレームＦの左右リムの下側が上になり左右リムの上側が下となる状態）で配置される場合を例に挙げて説明する。例えば、フレーム保持ユニット２０は、第１スライダー２２、第２スライダー２３、支柱部材２４、支持機構３０、連動機構４０、クランプ機構５０等を備える。
【００３９】
＜スライダー＞
例えば、第１スライダー２２及び第２スライダー２３は、眼鏡フレーム装用時における上下方向（Ｙ方向）から、眼鏡フレームＦの左リムＦＬ及び右リムＦＲを挟持する。例えば、第１スライダー２２は、カバー２１ａと、スライド板２５と、を有する。例えば、カバー２１ａの下面は第２スライダー２３に対向し、左右リムの下側に配置される。例えば、スライド板２５は、支柱部材２４の上部に固定されている。
【００４０】
例えば、第２スライダー２３はカバー２１ｂと、スライド板２６と、を有する。例えば、カバー２１ｂの上面は第１スライダー２２に対向し、左右リムの上側に配置される。例えば、スライド板２６は、後述する支持機構３０が備えるシャフト３１及びシャフト３２の上部に固定されている。
【００４１】
例えば、支柱部材２４は、第１スライダー２２と第２スライダー２３の間において、上下方向に延びている。例えば、支柱部材２４は、第１スライダー２２及び第２スライダー２３を上下方向にガイドする。このため、第１スライダー２２及び第２スライダー２３は、上下方向（Ｙ方向）に移動する。また、例えば、支柱部材２４は、第１スライダー２２及び第２スライダー２３の左右方向（Ｘ方向）における中央に配置される。例えば、支柱部材２４は、第１スライダー２２及び第２スライダー２３から測定ユニット２０が配置された側（図１において眼鏡フレームＦのテンプルが延びる方向側）に位置する。
【００４２】
例えば、支持機構３０は、第２スライダー２３を上下方向（Ｙ方向）に支持する。例えば、支持機構３０は、シャフト３１、シャフト３２、固定ベース３３、ブロック３４、ローラ３５、ローラ３６等を備える。例えば、固定ベース３３は、本体ベース５（図１参照）に固定される。例えば、固定ベース３３には、ブロック３４、ローラ３５、ローラ３６が固定される。例えば、シャフト３１は固定ベース３３に対して上下方向に移動可能であり、ブロック３４によって支持されている。また、例えば、シャフト３２は固定ベース３３に対して上下方向に移動可能であり、ローラ３５とローラ３６によって支持されている。例えば、前述の支柱部材２４は固定ベース３３に対して上下方向に移動可能であり、固定ベース３３及びブロック３４等によって支持されている。
【００４３】
＜連動機構＞
例えば、連動機構４０は、シャフト４１、円弧部材４２、取り付け板４３、第１ローラ４４、第２ローラ４５等を備える。例えば、シャフト４１は前後方向（Ｚ方向）に延びている。また、シャフト４１と、シャフト４１を中心として回転する円弧部材４２は、ブロック３４の前側（Ｚ方向における手前側）に取り付けられている。例えば、円弧部材４２は、第１ローラ４４に向かって延びる第１アーム４２ａ、及び第２ローラ４５に向かって延びる第２アーム４２ｂを有する。例えば、取り付け板４３は支柱部材２４の下方に固定されている。また、例えば、取り付け板４３の前側には第１ローラ４４が取り付けられている。例えば、第１ローラ４４は、第１アーム４２ａの上面に位置する。例えば、第２ローラ４５はシャフト３２の前側（Ｚ方向における手前側）に取り付けられている。例えば、第２ローラ４５は、第２アーム４２ｂの上面に位置する。
【００４４】
例えば、連動機構４０によって、第１スライダー２２及び第２スライダー２３は、互いの間隔が広くなる方向又は互いの間隔が狭くなる方向に連動して移動することができる。より詳細には、例えば、第２スライダー２３（スライド板２６）を下方向に移動させると、スライド板２６の下降にともなって、シャフト３２及びシャフト３２に取り付けられた第２ローラ４５も一体的に下降する。このため、円弧部材４２が有する第２アーム４２ｂは下方に下げられ、第１アーム４２ａが上方に上げられる。第１アーム４２ａが上方に上げられることで、第１ローラ４４は、第１ローラ４４が固定されている取り付け板４３とともに上昇する。さらに、取り付け板４３に上昇にともなって、取り付け板４３が固定されている支柱部材２４と、支柱部材２４に取り付けられたスライド板２５が上昇する。このようにして、第１スライダー２２及び第２スライダー２３の互いの間隔は広くなる。また、この状態から、第１スライダー２２（スライド板２５）を下方向に移動させると、支柱部材２４と、支柱部材２４に固定された取り付け板４３と、が一体的に下降し、さらに取り付け板４３に固定された第１ローラ４４も下降する。円弧部材４２が有する第１アーム４２ａは下方に下げられ、第２アーム４２ｂが上方に上げられる。これによって、第２ローラ４４ｂは、第２ローラ４４ｂが固定されたシャフト３２とともに上昇し、シャフト３２が固定されたスライド版２６が上昇する。このようにして、第１スライダー２２及び第２スライダー２３の互いの間隔は狭くなる。
【００４５】
＜クランプ機構＞
以下、クランプ機構５０の構成について説明する。図５はクランプ機構５０を説明するための図である。例えば、クランプ機構５０は、第１クランプピンユニット６０と、第２クランプピンユニット７０と、を備える。例えば、第１クランプピンユニット６０は、眼鏡フレームＦの左リムを挟持する。例えば、第１クランプピンユニット６０は、第１上クランプピン６１と、第１下クランプピン６２と、からなる。例えば、第１上クランプピン６１は、一対のクランプピンとして、眼鏡フレームＦにおける左リムの下部を挟持するための前ピン６１ａと後ピン６１ｂを備える。また、例えば、第１下クランプピン６２は、一対のクランプピンとして、眼鏡フレームＦにおける左リムの上部を挟持するための前ピン６２ａと後ピン６２ｂを備える。
【００４６】
例えば、第２クランプピンユニット７０は、眼鏡フレームＦの右リムを挟持する。例えば、第２クランプピンユニット７０は、第２上クランプピン７１と、第２下クランプピン７２と、からなる。例えば、第２上クランプピン７１は、一対のクランプピンとして、眼鏡フレームＦにおける右リムの下部を挟持するための前ピン７１ａと後ピン７１ｂを備える。また、例えば、第２下クランプピン７２は、一対のクランプピンとして、眼鏡フレームＦにおける右リムの上部を挟持するための前ピン７２ａと後ピン７２ｂを備える。
【００４７】
例えば、後述する待機状態において、眼鏡フレームＦはクランプ機構５０に設置される。より詳細には、第１上クランプピン６１が有する前ピン６１ａと後ピン６１ｂとの間に、眼鏡フレームＦにおける左リムの下部が設置される。同時に、第１下クランプピン６２が有する前ピン６２ａと後ピン６２ｂとの間に、眼鏡フレームＦにおける左リムの上部が設置される。また、第２上クランプピン７１が有する前ピン７１ａと後ピン７１ｂとの間に、眼鏡フレームＦにおける右リムの下部が設置される。同時に、第２下クランプピン７２が有する前ピン７２ａと後ピン７２ｂとの間に、眼鏡フレームＦにおける右リムの上部が設置される。また、例えば、後述する測定状態において、眼鏡フレームＦにおける左右リムの形状が、測定ユニット１０によって測定される。
【００４８】
図６は、第１スライダー２２のスライド板２５を右側面から見た図である。図６（ａ）は、第１上クランプピン６１及び第２上クランプピン７１が待機位置にある状態（待機状態）を示す図である。図６（ｂ）は、第１上クランプピン６１及び第２上クランプピン７１が測定位置にある状態（測定状態）を示す図である。
【００４９】
＜回転ユニット＞
例えば、本実施例における第１クランプピンユニット６０は、第１回転軸Ｓ１（図２及び図４参照）を中心として一対のクランプピンを挟持方向に回転させることが可能な第１回転手段（第１回転ユニット）６５を有する。すなわち、第１回転ユニット６５によって、第１上クランプピン６１における前ピン６１ａと後ピン６１ｂが一体的に挟持方向に回転する。例えば、第１回転ユニット６５によって第１クランプピンユニット６０が回転することで、眼鏡フレームＦにおける左リムを測定位置へ移動させることができる。
【００５０】
例えば、本実施例における第２クランプピンユニット７０は、第２回転軸Ｓ２（図２及び図４参照）を中心として一対のクランプピンを挟持方向に回転させることが可能な第２回転手段（第２回転ユニット）７５を有する。すなわち、第２回転ユニット７５によって、第２上クランプピン７１における前ピン７１ａと後ピン７１ｂが挟持方向に回転する。また、第２回転ユニット７５によって、第２下クランプピン７２における前ピン７２ａと後ピン７２ｂが挟持方向に回転する。例えば、第２回転ユニット７５によって第２クランプピンユニット７０が回転することで、眼鏡フレームＦにおける右リムを測定位置へ移動させることができる。なお、例えば、本実施例における挟持方向とは、前ピンと後ピンの開閉方向である。すなわち、本実施例における挟持方向とは、前後方向（Ｚ方向）が前ピンと後ピンの開閉方向となる。例えば、本実施例における挟持方向とは、第１回転軸Ｓ１を中心とした円弧方向（図６中に点線で示す矢印Ａ，Ｂの方向）である。
【００５１】
なお、例えば、本実施例における第１回転軸Ｓ１及び第２回転軸Ｓ２とは、後述するシャフト８３の中心から左右方向（Ｘ方向）に延びる軸である。本実施例においては、第１回転軸Ｓ１及び第２回転軸Ｓ２は同軸の構成を例に挙げて説明する。もちろん、第１回転軸Ｓ１及び第２回転軸Ｓ２は、異なる軸であってもよい。
【００５２】
なお、本実施例では、第１回転ユニット６５によって第１上クランプピン６１のみが回転し、第２回転ユニット７５によって第２上クランプピン７１のみが回転する構成を例に挙げて説明するがこれに限定されない。
【００５３】
例えば、本実施例においては、第１回転ユニット６５及び第２回転ユニット７５によって、第１下クランプピン６２と第２下クランプピンが回転する構成であってもよい。また、第１回転ユニット及び第２回転ユニットによって、第１上クランプピン６１と、第１下クランプピン６２と、第２上クランプピン７１と、第２下クランプピンと、が回転する構成であってもよい。なお、第１回転ユニット６５によって第１下クランプピン６２が回転する構成は、第１回転ユニット６５によって第１上クランプピン６１が回転する機構と同様の構成とすることができる。また、例えば、第２回転ユニット７５によって第２下クランプピン７２が回転する構成は、第２回転ユニット７５によって第２上クランプピン７１が回転する機構と同様の構成とすることができる。なお、これらの回転ユニットが備える構成は、その一部が異なっていてもよい。
【００５４】
例えば、第１回転ユニット６５及び第２回転ユニット７５は、回転シャフト８０、基台８１、回転板８２、シャフト８３、基台８４、ローラ８５、ローラ８６、モータ８７等によって構成される。例えば、回転シャフト８０は、モータ８７の駆動によって回転する。例えば、回転シャフト８０には基台８１が配置されている。例えば、回転シャフト８０の上部には回転板８２が連結される。例えば、回転板８２にはローラ８５とローラ８６が取り付けられている。例えば、基台８４の下側には、第１上クランプピン６１と第２上クランプピン７１が取り付けられている。例えば、基台８４の上側は、平坦部８４ａと突出部８４ｂを有する。例えば、基台８４は、シャフト８３とともに基台８１に取り付けられることによって、第１回転軸Ｓ１及び第２回転軸Ｓ２を中心とした回転シャフト８０に対する挟持方向（円弧方向）に移動可能に支持される。
【００５５】
例えば、図６（ａ）では、ローラ８５が突出部８４ｂと当接することによって基台８４を傾斜状態に保ち、第１上クランプピン６１及び第２上クランプピン７１の待機状態を維持する。このとき、第１上クランプピン６１における前ピン６１ａの少なくとも一部は、基台８４が傾斜することによって、スライド板２５に設けられた第１収納部１１０に収納される。同時に、第２上クランプピン７１における前ピン７１ａの少なくとも一部は、基台８４が傾斜することによって、スライド板２６に設けられた第２収納部１２０に収納される。また、このとき、第１上クランプピン６１における後ピン６１ｂと、第２上クランプピン７１における後ピン７１ｂとは、基台８４が傾斜することによって、手前方向に迫り出す。このため、操作者は後ピン６１ｂ及び後ピン７１ｂの位置を容易に確認することができる。
【００５６】
例えば、待機状態から回転シャフト８０が時計回りに回転すると、回転シャフト８０と一体的に回転板８２も回転する。これによって、ローラ８５と突出部８４ｂとが離れ、基台８４は第１回転軸Ｓ１及び第２回転軸Ｓ２を中心とした回転シャフト８０に対する円弧方向に回転して水平になる。また、第１上クランプピン６１及び第２上クランプピン７１の前ピンが、後述する第１収納部１１０及び第２収納部１２０から突出する。回転シャフト８０がさらに回転すると、ローラ８６が平坦部８４ａと当接し、基台８４の押し戻りを防止する。このようにして、第１上クランプピン６１及び第２上クランプピン７１は、図６（ｂ）に示す測定状態を維持する。
【００５７】
＜開閉ユニット＞
図７は、第２スライダー２３のスライド板２６を上側から見た図である。例えば、本実施例における第１クランプピンユニット６０は、一対のクランプピンを開閉することができる第１開閉手段（第１開閉ユニット）６７を有する。すなわち、第１開閉ユニット６７によって、第１上クランプピン６１における前ピン６１ａと後ピン６１ｂが開閉する。また、例えば、第１開閉ユニット６７によって、第１下クランプピン６２における前ピン６２ａと後ピン６２ｂが開閉する。
【００５８】
また、例えば、本実施例における第２クランプピンユニット７０は、一対のクランプピンを開閉することができる第２開閉手段（第２開閉ユニット）７７を有する。すなわち、第２開閉ユニット７７によって、第２上クランプピン７１における前ピン７１ａと後ピン７１ｂが開閉する。また、例えば、第２開閉ユニット７７によって、第２下クランプピン７２における前ピン７２ａと後ピン７２ｂが開閉する。
【００５９】
なお、ここでは、第１下クランプピン６２の開閉について説明する。第１上クランプピン６１と、第２上クランプピン７１と、第２下クランプピン７２の開閉については、以下において説明する構成と同一であるため、その説明を省略する。もちろん、これらのクランプピンが備える構成は、その一部が異なっていてもよい。
【００６０】
例えば、第１下クランプピン６２の第１開閉ユニット６７は、回転シャフト８０、円形部材９０、ピン９１、軸９２、軸９３、アーム９４、アーム９５、ギヤ９６、ギヤ９７、ワイヤ９８、半リング部材９９、圧縮バネ１００、ガイド部材１０１等によって構成される。例えば、回転シャフト８０は、前述したモータ８７の駆動によって回転する。例えば、前ピン６１ａはアーム９４に取り付けられている。例えば、アーム９４は軸９２を中心として回転する。例えば、アーム９４の基部には、軸９２を中心としたギヤ９６が形成される。また、例えば、後ピン６１ｂはアーム９５に取り付けられている。例えば、アーム９５は軸９３を中心として回転する。例えば、アーム９５の基部には、軸９３を中心としたギヤ９７が形成される。例えば、ギヤ９６とギヤ９７は、互いに噛み合っている。例えば、アーム９４と、アーム９５と、の間には圧縮バネ１００が配置される。この圧縮バネ１００は、アーム９４とアーム９５に開く方向の付勢力を与える。例えば、アーム９５にはワイヤ９８が取り付けられている。例えば、ワイヤ９８の一端は、ガイド部材１０１を介して半リング部材９９に接続されている。例えば、半リング部材９９の内径は、回転シャフト８０の径に噛み合う大きさで形成される。また、例えば、半リング部材９９は、ピン９１によって円形部材９０に連結されている。
【００６１】
例えば、第１下クランプピン６２は、モータ８７が駆動されることによって回転シャフト８０が時計回りに回転すると、回転シャフト８０と一体的に円形部材９０も回転する。これによって、半リング部材９９は、半リング部材９９の内径が回転シャフト８０の径に噛み合う位置まで移動する。半リング部材９９の移動にともなってワイヤ９８は引っ張られ、アーム９５が軸９３を中心に回転するため、２つの噛み合うギヤ９６とギヤ９７によって、アーム９４も軸９２を中心として回転する。このようにして、第１下クランプピン６２における前ピン６１ａと後ピン６１ｂが連動して閉じる方向（前ピン６１ａと後ピン６１ｂとの間の間隔が狭くなる方向）に移動する。また、前ピン６１ａと後ピン６１ｂが閉じた状態から回転シャフト８０が反時計回りに回転すると、半リング部材９９は図７の状態に戻され、圧縮バネ１００によって前ピン６１ａと後ピン６１ｂが連動して開く方向に移動する。
【００６２】
例えば、本実施例における第１クランプピンユニット６０は、第１開閉ユニット６７によって、一対のクランプピンにおける一方のクランプピンを、他方のクランプピンの方向に直線移動させるとともに、一対のクランプピンにおける他方のクランプピンを、一方のクランプピンの方向に直線移動させる。つまり、例えば、第１上クランプピン６１において、前ピン６１ａは後ピン６１ｂの方向へ直線移動し、後ピン６１ｂは前ピン６１ａの方向へ直線移動する。これによって、第１上クランプピン６１は、前ピン６１ａと後ピン６１ｂを前後方向（Ｚ方向）に同距離だけ移動させ、前ピン６１ａと後ピン６１ｂの間に設置される眼鏡フレームＦの左リム下部を測定位置において挟持することができる。また、例えば、第１下クランプピン６２において、前ピン６２ａは後ピン６２ｂの方向へ直線移動し、後ピン６２ｂは前ピン６２ａの方向へ直線移動する。これによって、第１下クランプピン６２は、前ピン６２ａと後ピン６２ｂを前後方向（Ｚ方向）に同距離だけ移動させ、前ピン６２ａと後ピン６２ｂの間に設置される眼鏡フレームＦの左リム上部を測定位置において挟持することができる。
【００６３】
同様に、例えば、本実施例における第２クランプピンユニット７０は、第２開閉ユニット７７によって、一対のクランプピンにおける一方のクランプピンを、他方のクランプピンの方向に直線移動させるとともに、一対のクランプピンにおける他方のクランプピンを、一方のクランプピンの方向に直線移動させる。つまり、例えば、第２上クランプピン７１において、第２開閉ユニット７７によって、前ピン７１ａは後ピン７１ｂの方向へ直線移動し、後ピン７１ｂは前ピン７１ａの方向へ直線移動する。これによって、第２上クランプピン７１は、前ピン７１ａと後ピン７１ｂを前後方向（Ｚ方向）に同距離だけ移動させ、前ピン７１ａと後ピン７１ｂの間に設置される眼鏡フレームＦの右リム下部を測定位置において挟持することができる。また、例えば、第２下クランプピン７２において、第２開閉ユニット７７によって、前ピン７２ａは後ピン７２ｂの方向へ直線移動し、後ピン７２ｂは前ピン７２ａの方向へ直線移動する。これによって、第２下クランプピン７２は、前ピン７２ａと後ピン７２ｂを前後方向（Ｚ方向）に同距離だけ移動させ、前ピン７２ａと後ピン７２ｂの間に設置される眼鏡フレームＦの右リム上部を測定位置において挟持することができる。
【００６４】
例えば、本実施例における眼鏡枠形状測定装置１は、上述の回転手段（すなわち、第１回転ユニット６５及び第２回転ユニット７５）と開閉手段（すなわち、第１開閉ユニット６７及び第２開閉ユニット７７）を備えることによって、第１クランプピンユニット６０及び第２クランプピンユニット７０が有するそれぞれの前ピンと後ピンが、待機状態では手前側に傾斜して配置され、測定状態では回転されて垂直に配置される。より詳細には、例えば、待機状態では、第１クランプピンユニット６０が、第１回転ユニット６５によって、挟持方向において測定ユニット１０に対して遠ざかるように（図６中の矢印Ａ方向）回転された状態で保持される。例えば、測定状態では、第１クランプピンユニット６０が、第１回転ユニット６５によって、挟持方向において測定ユニット１０に対して近づくように（図６中の矢印Ｂ方向）回転された状態で保持される。このため、眼鏡フレームＦの左リムが待機位置から測定位置に移動される。また、例えば、待機状態では、第２クランプピンユニット７０が、第２回転ユニット７５によって、挟持方向において測定ユニット１０に対して遠ざかるように（図６中の矢印Ａ方向）に回転された状態で保持される。例えば、測定状態では、第２クランプピンユニット７０が、第２回転ユニット７５によって、挟持方向において測定ユニット１０に対して近づくように（図６中の矢印Ｂ方向）に回転された状態で保持される。このため、眼鏡フレームＦの右リムが待機位置から測定位置に移動される。
【００６５】
さらに、例えば、本実施例における眼鏡枠形状測定装置１は、上述の回転手段と開閉手段を備えることによって、第１クランプピンユニット６０及び第２クランプピンユニット７０の回転が完了して待機位置（待機状態）から測定位置（測定状態）に移動した後に、それぞれのクランプピンユニットが有する前ピン及び後ピンの開閉を行うことができる。より詳細には、例えば、第１クランプピンユニット６０は、第１回転ユニット６５によって回転されるとともに、第１開閉ユニット６７によって前ピン及び後ピンの開閉を行うことによって、眼鏡フレームＦの左リムを測定位置へ移動させ、眼鏡フレームＦを測定位置において挟持することができる。また、例えば、第２クランプピンユニット７０は、第２回転手段によって回転されるとともに、第２開閉ユニット７７によって前ピン及び後ピンの開閉を行うことによって、眼鏡フレームＦの右リムを測定位置へ移動させ、眼鏡フレームＦを測定位置において挟持することができる。
【００６６】
＜収納部＞
例えば、本実施例における眼鏡枠形状測定装置１は、クランプピンユニットを収納するための収納部を備える。以下、収納部について説明する。例えば、本実施例における第１クランプピンユニット６０は、一対のクランプピンのうち、一方のクランプピンの少なくとも一部を収納することができる第１収納部１１０（図１及び図５参照）を備える。すなわち、例えば、第１収納部１１０によって、第１上クランプピン６１における前ピン６１ａと後ピン６１ｂのうち、前ピン６１ａの少なくとも一部が収納される。言い換えると、第１クランプピンユニット６０が有する一対のクランプピンは、挟持方向において異なる位置に配置されており、一対のクランプピンのうち、挟持方向の測定ユニット１０側に位置するクランプピン（つまり、後ピン６１ｂ）よりも手前側に位置するクランプピン（つまり、前ピン６１ａ）の少なくとも一部が、第１収納部１１０に収納される。
【００６７】
さらに、例えば、本実施例における第２クランプピンユニット７０は、一対のクランプピンのうち、一方のクランプピンの少なくとも一部を収納することができる第２収納部１２０（図１及び図５参照）を備える。すなわち、例えば、第２収納部１２０によって、第２上クランプピン７１における前ピン７１ａと後ピン７１ｂのうち、前ピン７１ａの少なくとも一部が収納される。言い換えると、第２クランプピンユニット７０が有する一対のクランプピンは、挟持方向において異なる位置に配置されており、一対のクランプピンのうち、挟持方向の測定ユニット１０側に位置するクランプピン（つまり、後ピン７１ｂ）よりも手前側に位置するクランプピン（つまり、前ピン７１ａ）が、第２収納部１２０に収納される。
【００６８】
以下、収納部について、より詳細に説明する。例えば、第１収納部１１０と第２収納部１２０は、スライド板２５に設けられている。例えば、前述の第１回転ユニット６５及び第２回転ユニット７５によって、待機状態では、第１上クランプピン６１における前ピン６１ａの少なくとも一部が第１収納部１１０に収納されるとともに、第２上クランプピン７１における前ピン７１ａの少なくとも一部が第２収納部１２０に収納される。例えば、測定状態では、第１回転ユニット６５によって、第１上クランプピン６１における前ピン６１ａが第１収納部１１０から突出し、後ピン６１ｂとともに一体的に回転することで、眼鏡フレームＦの左リムが測定位置へ移動される。また、例えば、測定状態では、第２回転ユニット７５によって、第２上クランプピン７１における前ピン７１ａが第２収納部１２０から突出し、後ピン７１ｂとともに一体的に回転することで、眼鏡フレームＦの右リムが測定位置へ移動される。
【００６９】
例えば、このように、第１クランプピンユニット６０が備える第１回転ユニット６５によって、第１クランプピンユニット６０が回転し、待機位置（待機状態）と測定位置（測定状態）とが変更されることによって、第１クランプピンユニット６０における一対のクランプピンのうち、一方のクランプピンの少なくとも一部が第１収納部１１０に対して挿脱される。また、第２クランプピンユニット７０が備える第２回転ユニット７５によって、第２クランプピンユニット７０が回転し、待機位置（待機状態）と測定位置（測定状態）とが変更されることによって、第２クランプピンユニット７０における一対のクランプピンのうち、一方のクランプピンの少なくとも一部が第２収納部１２０に対して挿脱される。
【００７０】
なお、本実施例において、第１上クランプピン６１及び第２上クランプピン７１を収納する収納部が設けられる構成を例に挙げて説明したがこれに限定されない。例えば、第２スライダー２３のスライド板２５にも、第１下クランプピン６２を収納するための収納部、及び第２下クランプピン７２を収納するための収納部を配置してもよい。
【００７１】
＜制御動作＞
以上の構成を備える眼鏡枠形状測定装置について、その動作を説明する。例えば、操作者が操作する眼鏡枠形状測定装置１は待機位置にあり（待機状態であり）、第１クランプピンユニット６０における第１上クランプピン６１、及び第２クランプピンユニット７０における第２上クランプピン７１は手前側に傾斜している。例えば、操作者は、フレーム保持ユニット２０が備える第２スライダー２３を押し下げ、これに連動して第１スライダー２２を上方向に上昇させることによって、第１スライダー２２と第２スライダー２３との間隔を広げ、フレームＦの左リムＦＬ及び右リムＦＲをクランプピンユニットに設置するための空間をつくる。
【００７２】
次いで、例えば、操作者は、フレームＦの後側（左側のテンプルＦＴＬ及び右側のテンプルＦＴＲが延びた側）が測定ユニット１０側に向くように、眼鏡フレームＦを第１スライダー２２及び第２スライダー２３の間に挟む。このとき、第１上クランプピン６１における前ピン６１ａの少なくとも一部は第１収納部１１０に収納されており、第１上クランプピン６１における後ピン６１ｂは、手前方向に迫り出している。また、このとき、第２上クランプピン７１における前ピン７１ａの少なくとも一部は第２収納部１２０に収納されており、第２上クランプピン７１における後ピン７１ｂは、手前方向に迫り出している。
【００７３】
例えば、操作者は、眼鏡フレームＦにおける左リムの上側を前ピン６２ａと後ピン６２ｂとの間に設置し、眼鏡フレームＦにおける右リムの上側を前ピン７２ａと後ピン７１ｂとの間に当接するように設置する。また、操作者は、後ピン６１ｂ及び後ピン７１ｂの位置を確認しながら、眼鏡フレームＦにおける左リムの下側が後ピン６１ｂに当接するように設置し、眼鏡フレームＦにおける右リムの下側が後ピン７１ｂに当接するように設置する。
【００７４】
例えば、眼鏡フレームＦの設置を終えると、操作者は、第２スライダー２３を押し下げる力を弱めることによって、第２スライダー２３を元の位置へと上昇させる。第２スライダー２３に連動して第１スライダー２２は下降し、眼鏡フレームＦが第１スライダー２２の対向面と第２スライダー２３の対向面との間に保持される。これによって、眼鏡フレームＦにおける左リムの下側と右リムの下側は第１スライダー２２の下面に当接する。また、眼鏡フレームＦにおける左リムの上側と右リムの上側は第２スライダー２３の上面に当接する。
【００７５】
ここで、操作者が図示なき眼鏡フレーム挟持スイッチを操作すると、モータ８７の駆動によって回転シャフト８０が回転し、第１回転ユニット６５及び第２回転ユニット７５が作動する。これによって、第１クランプピンユニット６０における第１上クランプピン６１、及び第２クランプピンユニット７０における第２上クランプピン７１が、挟持方向において測定ユニット１０に近づくように一体的に回転して測定位置となる。この状態から、さらにモータ８７が駆動して回転シャフト８０が回転すると、第１開閉ユニット６７及び第２開閉ユニット７７が作動する。これによって、第１上クランプピン６１と、第１下クランプピン６２のそれぞれが有する前ピン及び後ピンが、互いのピンの方向へと直線的に移動して、眼鏡フレームＦの左リムを挟持する。また、第２上クランプピン７１と、第２下クランプピン７２、のそれぞれが有する前ピン及び後ピンが、互いのピンの方向へと直線的に移動して、眼鏡フレームＦの右リムを挟持する。
【００７６】
操作者は、このようにして眼鏡フレームＦを保持させた後で、図示なき測定スイッチを操作することによって、測定ユニット１０を用いて左リムと右リムの形状を順にトレースすることができる。
【００７７】
以上説明したように、例えば、本実施例における眼鏡枠形状測定装置は、回転軸を中心として、一対のクランプピンを挟持方向に回転させる回転手段を備え、回転手段によってクランプピンを回転することで、眼鏡フレームのリムを測定位置へ移動させる構成を備える。これによって、操作者は、眼鏡枠形状測定装置に眼鏡フレームを簡易的に配置するだけで、眼鏡フレームを容易に良好に保持することができる。
【００７８】
また、例えば、本実施例の眼鏡枠形状測定装置においては、さらに、一対のクランプピンが開閉できる開閉手段を備え、回転手段によってクランプピンを回転するとともに、開閉手段によってクランプピンの開閉を行うことで、眼鏡フレームのリムを測定位置へ移動させる構成を備える。これによって、眼鏡フレームをより確実に挟持することができ、測定中に眼鏡フレームが移動することを抑制することができる。
【００７９】
また、例えば、本実施例における眼鏡枠形状測定装置は、第１クランプピンユニットにおける一対のクランプピンの一方のクランプピンが他方の方向に直線移動するとともに、一対のクランプピンの他方のクランプピンが一方の方向に直線移動し、第２クランプピンユニットにおける一対のクランプピンの一方のクランプピンが他方の方向に直線移動するとともに、一対のクランプピンの他方のクランプピンが一方の方向に直線移動する構成を備える。これによって、眼鏡フレームのリムを測定位置に移動させることができる。
【００８０】
また、例えば、本実施例における眼鏡枠形状測定装置は、眼鏡フレームを設置する際の待機状態において、クランプピンユニットが回転手段によって、挟持方向において測定手段から遠ざかる方向に回転された状態で保持され、眼鏡フレームの測定を行う測定状態において、クランプピンユニットが回転手段によって、挟持方向において測定手段に近づく方向に回転され、眼鏡フレームのリムを測定位置へ移動させる構成を備える。これによって、クランプピンの一方が収納されるため、クランプピンの一方が他方のクランプピンに隠れることによって操作者から見えづらくなることを抑制することができる。操作者は、クランプピンの位置を確認しながら、確実に眼鏡フレームを所望の位置に配置しやすくなる。
【００８１】
また、例えば、本実施例における眼鏡枠形状測定装置は、一対のクランプピンのうちの一方のクランプピンを収納する収納部を備え、回転手段によるクランプピンの回転によって、一対のクランプピンのうちの一方のクランプピンが収納部に対して挿脱される構成を備える。これによって、クランプピンの一方が収納されるため、クランプピンの一方が他方のクランプピンに隠れることによって操作者から見えづらくなることを抑制することができる。操作者は、クランプピンの位置を確認しながら、確実に眼鏡フレームを所望の位置に配置しやすくなる。
【００８２】
また、例えば、本実施例における眼鏡枠形状測定装置は、眼鏡フレームの測定を行う前の待機状態において、クランプピンユニットにおける一対のクランプピンのうちの一方のクランプピンが収納部に収納され、眼鏡フレームの測定を行う測定状態において、回転手段によってクランプピンユニットを回転することで、クランプピンユニットにおける一対のクランプピンのうちの一方のクランプピンが収納部から突出し、眼鏡フレームのリムを測定位置へ移動させる構成を備える。これによって、操作者が眼鏡フレームを眼鏡枠形状測定装置に設置する際の待機状態において、クランプピンの一方が収納されるため、クランプピンの一方が他方のクランプピンに隠れることによって操作者から見えづらくなることを抑制することができる。操作者は、クランプピンの位置を確認しながら、より確実に眼鏡フレームを所望の位置に配置しやすくなる。
【００８３】
また、例えば、本実施例における眼鏡枠形状測定装置は、クランプピンユニットにおける一対のクランプピンが挟持方向において異なる位置に配置され、一対のクランプピンのうち、挟持方向において測定手段側に配置されたクランプピンよりも手前側に配置されたクランプピンが収納部に収納される構成を備える。これによって、操作者が眼鏡フレームを眼鏡枠形状測定装置に設置する際に、操作者側（手前側）のクランプピンが収納されるため、眼鏡枠形状測定装置の奥側（測定手段側）のクランプピンが操作者側のクランプピンに隠れることによって、奥側のクランプピンが操作者から見えづらくなることを抑制することができる。操作者は、奥側のクランプピンの位置を確認しながら、眼鏡フレームを奥側のクランプピンの位置に配置しやすくなる。その後、回転手段による回転によって、手前側のクランプピンが突出され、眼鏡フレームを手前側のクランプピンと奥側のクランプピンとで挟み込むことができる。すなわち、操作者は、奥側のクランプピンに眼鏡フレームを配置するだけで、一対のクランプピンによって、眼鏡フレームを挟持することが可能となり、眼鏡フレームを容易に良好に保持することができる。
【００８４】
また、例えば、本実施例における眼鏡枠形状測定装置は、クランプピンが、リムの上部を挟持する一対の上クランプピンと、リムの下部を挟持する一対の下クランプピンと、を有し、回転手段が、第１上クランプピンと、前記第１下クランプピンと、の少なくとも一方を回転させる構成を備える。これによって、左右のリムの上部と下部の少なくとも４つの箇所で眼鏡フレームを保持することができるため、眼鏡フレームを安定して保持することができる。
【００８５】
＜変容例＞
なお、本実施例では、眼鏡フレームＦが上下反転された状態（眼鏡フレームＦの左右リムの下側が上になり左右リムの上側が下となる状態）で配置される場合を例に挙げて説明したがこれに限定されない。眼鏡フレームＦの設置方向は、本実施例とは逆であっても良い。すなわち、眼鏡フレームＦは、左右リムの上部が第１スライダー２２の位置する方向に向き、左右リムの下部が第２スライダー２３の位置する方向に向き、左右テンプルが測定ユニット１０の位置する方向に向くように設置してもよい。
【００８６】
あるいは、眼鏡フレームＦにおける左右リムの下部が第１スライダー２２の位置する方向に向き、左右リムの上部が第２スライダー２３の位置する方向に向き、左右テンプルが測定ユニット１０の位置する方向とは反対の方向を向くように設置してもよい。
【００８７】
あるいは、眼鏡フレームＦにおける左右リムの上部が第１スライダー２２の位置する方向に向き、左右リムの下部が第２スライダー２３の位置する方向に向き、左右テンプルが測定ユニット１０の位置する方向とは反対の方向を向くように設置してもよい。
【００８８】
なお、本実施例においては、第１スライダー２２が上側に配置され、第２スライダー２３が下側に配置されることによって、眼鏡フレーム装用時における上下方向（Ｙ方向）から眼鏡フレームＦを挟持する構成を例に挙げて説明したがこれに限定されない。例えば、第１スライダー２２と第２スライダー２３が、左右方向（Ｘ方向）や、前後に傾斜した方向等から眼鏡フレームＦを保持する構成であってもよい。また、例えば、第１クランプピンユニット６０と第２クランプピンユニット７０が、左右方向（Ｘ方向）や、前後に傾斜した方向等から眼鏡フレームＦを挟持する構成であってもよい。
【００８９】
なお、本実施例においては、第１クランプピンユニット６０が、第１上クランプピン６１と、第１下クランプピン６２と、からなる構成を例に挙げて説明したがこれに限定されない。本実施例における第１クランプピンユニット６０は、眼鏡フレームＦの左リムを挟持することが可能な構成であればよい。すなわち、例えば、第１上クランプピン６１と第１下クランプピン６２の他に、眼鏡フレームＦにおける左リムの左部を挟持するクランプピンを設け、これらの３つのクランプピンによって、眼鏡フレームＦの左リムを挟持する構成であってもよい。
【００９０】
同様に、本実施例においては、第２クランプピンユニット７０が、第２上クランプピン７１と、第２下クランプピン７２と、からなる構成を例に挙げて説明したがこれに限定されない。本実施例における第２クランプピンユニット７０は、眼鏡フレームＦの右リムを挟持することが可能な構成であればよい。すなわち、例えば、第２上クランプピン７１と第２下クランプピン７２の他に、眼鏡フレームＦにおける右リムの右部を挟持するクランプピンを設け、これらの３つのクランプピンによって、眼鏡フレームＦの右リムを挟持する構成であってもよい。
【００９１】
なお、本実施例においては、第１上クランプピン６１が、一対の前ピン６１ａと後ピン６１ｂを備える構成を例に挙げて説明したがこれに限定されない。本実施例における第１上クランプピン６１は、眼鏡フレームＦにおける左リムの下部を挟持することが可能な構成であればよく、前ピン６１ａと後ピン６１ｂは複数存在してもよい。すなわち、前ピン６１ａと後ピン６１ｂを、それぞれ１つ以上設ける構成としてもよい。このような場合には、例えば、前ピン６１ａと後ピン６１ｂをそれぞれ２本ずつ備え、計４本のピンを用いて左リムの下部を挟持する構成が挙げられる。また、例えば、１本の前ピン６１ａと、２本の後ピン６１ｂと、を備え、計３本のピンを用いて左リムの下部を挟持する構成が挙げられる。もちろん、２本の前ピン６１ａと、１本の後ピン６１ｂと、の計３本のピンを用いてもよい。
【００９２】
同様に、本実施例における第１下クランプピン６２は、眼鏡フレームＦにおける左リムの上部を挟持することが可能な構成であればよく、前ピン６２ａと後ピン６２ｂの本数については限定されない。また、本実施例における第２上クランプピン７１は、眼鏡フレームＦにおける右リムの下部を挟持することが可能な構成であればよく、前ピン７１ａと後ピン７１ｂの本数については限定されない。また、本実施例における第２下クランプピン７２は、眼鏡フレームＦにおける右リムの上部を挟持することが可能な構成であればよく、前ピン７２ａと後ピン７２ｂの本数については限定されない。
【００９３】
なお、本実施例においては、第１回転ユニット６５によって第１上クランプピン６１のみが回転する構成を例に挙げて説明したがこれに限定されない。例えば、第１回転ユニット６５は、第１クランプピンユニット６０における第１上クランプピン６１と第１下クランプピン６２の両方を回転させる構成でもよいし、第１上クランプピン６１と第１下クランプピン６２の少なくとも一方を回転させる構成であってもよい。また、本実施例においては、第２回転手段６７によって第２上クランプピン７１のみが回転する構成を例に挙げて説明したがこれに限定されない。例えば、第２回転手段６７は、第２クランプピンユニット７０における第２上クランプピン７１と第２下クランプピン７２の両方を回転させる構成でもよいし、第２上クランプピン７１と第２下クランプピン７２の少なくとも一方を回転させる構成であってもよい。なお、第１回転ユニット６５及び第２回転手段６７は、それぞれが別途設けられてもよいし、兼用されてもよい。
【００９４】
また、本実施例においては、第１上クランプピン６１及び第２上クランプピン７１の２つのクランプピンが、回転手段によって回転する構成を例に挙げて説明したがこれに限定されない。例えば、本実施例においては、第１下クランプピン６２及び第２下クランプピン７２の２つのクランプピンが、回転手段によって回転する構成でもよい。また、例えば、第１上クランプピン６１及び第１下クランプピン６２の２つのクランプピンが、回転手段によって回転する構成でもよい。また、例えば、第２上クランプピン７１及び第２下クランプピン７２の２つのクランプピンが、回転手段によって回転する構成でもよい。もちろん、第１上クランプピン６１と、第１下クランプピン６２と、第２上クランプピン７１と、第２下クランプピン７２と、の４つのクランプピンが回転する構成であってもよい。
【００９５】
なお、本実施例においては、第１開閉ユニット６７によって、第１上クランプピン６１と第１下クランプピン６２における前ピンと後ピンが連動して開閉する構成を例に挙げて説明したがこれに限定されない。本実施例における第１開閉ユニット６７は、一対のクランプピン間の距離を変更できる構成であれば良い。すなわち、前ピンと後ピンは必ずしも連動して移動しなくてもよい。この場合には、例えば、一対のクランプピンのうち、少なくとも一方のピンが、他方のピンの方向に直線移動する構成が挙げられる。また、例えば、一対のクランプピンのうち、少なくとも一方のピンが、他方のピンの方向に回転移動する構成が挙げられる。
【００９６】
同様に、本実施例においては、第２開閉ユニット７７によって、第２上クランプピン７１と第２下クランプピン７２における前ピンと後ピンが連動して開閉する構成を例に挙げて説明したがこれに限定されない。本実施例における第２開閉ユニット７７は、一対のクランプピン間の距離を変更できる構成であれば良い。すなわち、前ピンと後ピンは必ずしも連動して移動しなくてもよい。この場合には、例えば、一対のクランプピンのうち、少なくとも一方のピンが、他方のピンの方向に直線移動する構成が挙げられる。また、例えば、一対のクランプピンのうち、少なくとも一方のピンが、他方のピンの方向に回転移動する構成が挙げられる。
【００９７】
なお、本実施例における眼鏡枠形状測定装置１は、第１回転ユニット６５及び第２回転ユニット７５によって第１クランプピンユニット６０及び第２クランプピンユニット７０が待機位置（待機状態）から測定位置（測定状態）に回転した後に、開閉手段によってそれぞれのクランプピンユニットが有する前ピン及び後ピンの開閉を行う構成を例に挙げて説明したがこれに限定されない。例えば、回転手段と開閉手段は同時に作動してもよい。この場合には、例えば、第１クランプピンユニット６０及び第２クランプピンユニット７０が、待機位置（待機状態）から測定位置（測定状態）に向かって回転しながら、前ピン及び後ピンを閉じる構成が挙げられる。
【００９８】
なお、本実施例では、モータ８７を用いることによって、回転シャフト８０の回転を自動的に行う構成としたがこれに限定されない。本実施例においては、回転シャフト８０の回転を手動で行う構成であってもよい。この場合には、例えば、回転シャフト８０の上部に回転ノブを設け、操作者が回転ノブを回転することによって、回転シャフト８０を回転させる構成が挙げられる。
【００９９】
また、本実施例においては、回転シャフト８０が時計回りに回転することによって前ピン６１ａと後ピン６１ｂが閉じ、回転シャフト８０が反時計回りに回転することによって、前ピン６１ａと後ピン６１ｂが開く構成としたがこれに限定されない。本実施例における回転シャフトの回転は、逆であっても良い。この場合には、例えば、回転シャフト８０が時計回りに回転することによって前ピン６１ａと後ピン６１ｂが開き、回転シャフト８０が反時計回りに回転することによって、前ピン６１ａと後ピン６１ｂが閉じる構成でもよい。
【０１００】
なお、本実施例において、第１回転ユニット６５及び第２回転ユニット７５によって眼鏡フレームが待機位置から測定位置に保持された際の測定位置とは、測定ユニット１０によって眼鏡フレームが測定される位置に完全に移動される必要はない。例えば、第１回転ユニット６５及び第２回転ユニット７５によって、おおよその測定位置に保持される構成であってもよい。この場合には、第１回転ユニット６５及び第２回転ユニット７５によって、おおよその測定位置に保持された後、第１開閉ユニット６７及び第２開閉ユニット７７によって、前ピンと後ピンが移動し、ピンが閉じたときに眼鏡フレームが完全な測定位置に保持される構成としてもよい。
【０１０１】
なお、本実施例においては、第１収納部１１０及び第２収納部１２０に前ピンの少なくとも一部が収納される構成を例に挙げて説明したがこれに限定されない。例えば、第１収納部１１０及び第２収納部１２０は、前ピンの全部が収納され、前ピンが完全に隠れる構成であってもよい。
【０１０２】
また、本実施例においては、第１収納部及び第２収納部に前ピンが収納される構成を例に挙げて説明したがこれに限定されない。例えば、本実施例においては、収納部があることによって、後ピンの視認性を向上させることができればよい。すなわち、後ピンが見えづらくなることを抑制できるのであれば、必ずしも収納部を設ける必要はない。この場合には、例えば、カバー２１ａが第１クランプピンユニット６０及び第２クランプピンユニット７０とともに傾斜して、前ピンが隠れない構成が挙げられる。
【符号の説明】
【０１０３】
１  眼鏡枠形状測定装置
１０  測定ユニット
２０  フレーム保持ユニット
２２  第１スライダー
２３  第２スライダー
３０  支持機構
４０  連動機構
５０  クランプ機構
６０  第１クランプピンユニット
６５  第１回転手段
６７  第１開閉手段
７０  第２クランプピンユニット
７５  第２回転手段
７７  第２開閉手段
１１０  第１収納部
１２０  第２収納部
【図１】
2018072186.tif 000003
【図２】
2018072186.tif 000004
【図３】
2018072186.tif 000005
【図４】
2018072186.tif 000006
【図５】
2018072186.tif 000007
【図６】
2018072186.tif 000008
【図７】
2018072186.tif 000009